(57)【要約】【課題】折れにくい緩衝材を提供する。【解決手段】緩衝材１０は、積載物を支持する緩衝材であって、長手方向ＤＡにおける端に、荷重を受ける受面を有する芯部１１を備える。芯部１１は、長手方向ＤＡに間隔をあけて設けられる複数の節部１５を有する。節部１５の断面積は、節部１５と節部１５との間の腹部１６の断面積よりも小さい。【選択図】図４
2020104891.tif 000002
【特許請求の範囲】
【請求項１】
積載物を支持する緩衝材であって、
長手方向における端に、荷重を受ける受面を有する芯部を備え、
前記芯部は、前記長手方向に間隔をあけて設けられる複数の節部を有し、
前記節部の断面積は、前記節部と前記節部との間の腹部の断面積よりも小さい
緩衝材。
【請求項２】
さらに、前記芯部を補強する少なくとも２つの補強部を有し、
２つの前記補強部は、前記芯部を間に挟むように前記芯部の両側に設けられる
請求項１に記載の緩衝材。
【請求項３】
前記腹部は、中心部と、前記中心部から突出する２つの突出部とを有し、
２つの前記突出部は、２つの前記補強部の間に配置され、２つの前記突出部の一方は、前記中心部において他方の前記突出部の配置部分と反対側に設けられる
請求項２に記載の緩衝材。
【請求項４】
隣接する２つの前記腹部の一方の突出部は、他方の突出部と繋がり、
複数の前記腹部の突出部のそれぞれは、前記補強部と繋がる
請求項３に記載の緩衝材。
【発明の詳細な説明】
【技術分野】
【０００１】
本発明は、緩衝材に関する。
【背景技術】
【０００２】
積載物の搬送用の緩衝材として、特許文献１に記載の技術が知られている。特許文献１に記載の緩衝材は、積載物の下および横に配置され、積載物を支持する。
【先行技術文献】
【特許文献】
【０００３】
【特許文献１】特表２００９−５０２６６２号公報
【発明の概要】
【発明が解決しようとする課題】
【０００４】
ところで、積載物が揺れると、緩衝材に曲げ応力が加わる。曲げ応力が過大になると、緩衝材が折れる虞がある。そこで、折れにくい緩衝材を提供する。
【課題を解決するための手段】
【０００５】
（１）上記課題を解決する緩衝材は、積載物を支持する緩衝材であって、長手方向における端に、荷重を受ける受面を有する芯部を備え、前記芯部は、前記長手方向に間隔をあけて設けられる複数の節部を有し、前記節部の断面積は、前記節部と前記節部との間の腹部の断面積よりも小さい。この構成によれば、緩衝材に曲げ応力が加わるとき、応力が複数の節部に分散されるようなり、曲げ応力が一カ所に集中することが抑制される結果、緩衝材が折れることを抑制できる。
【０００６】
（２）上記緩衝材において、さらに、前記芯部を補強する少なくとも２つの補強部を有し、２つの前記補強部は、前記芯部を間に挟むように前記芯部の両側に設けられる。この構成によれば、緩衝材の曲げ変形が抑制される。
【０００７】
（３）上記緩衝材において、前記腹部は、中心部と、前記中心部から突出する２つの突出部とを有し、２つの前記突出部は、２つの前記補強部の間に配置され、２つの前記突出部の一方は、前記中心部において他方の前記突出部の配置部分と反対側に設けられる。この構成によれば、直方体または直方体に類する形状から、突出部が構成されるように穴部を設けることによって、緩衝材を形成できる。この場合、金型を簡単な構造にすることができ、生産性に優れる。
【０００８】
（４）上記緩衝材において、隣接する２つの前記腹部の一方の突出部は、他方の突出部と繋がり、複数の前記腹部の突出部のそれぞれは、前記補強部と繋がる。この構成によれば、緩衝材の曲げ変形が抑制される。
【発明の効果】
【０００９】
上記緩衝材によれば、緩衝材の折れを抑制できる。
【図面の簡単な説明】
【００１０】
【図１】積載物の積載形態を示す斜視図。
【図２】第１実施形態について、正面からみた緩衝材の斜視図。
【図３】第１実施形態について、背面からみた緩衝材の斜視図。
【図４】第１実施形態について、緩衝材の正面図。
【図５】第１実施形態について、緩衝材の背面図。
【図６】第１実施形態について、図６（ａ）は、図４のＡ−Ａ線に沿う断面図、図６（ｂ）は、図４のＢ−Ｂ線に沿う断面図、図６（ｃ）は、図４のＣ−Ｃ線に沿う断面図。
【図７】第２実施形態について、正面からみた緩衝材の斜視図。
【図８】第２実施形態について、背面からみた緩衝材の斜視図。
【図９】第２実施形態について、緩衝材の正面図。
【図１０】第２実施形態について、緩衝材の背面図。
【図１１】第２実施形態について、図１１（ａ）は、図９のＦ−Ｆ線に沿う断面図、図１１（ｂ）は、図９のＧ−Ｇ線に沿う断面図、図１１（ｃ）は、図９のＨ−Ｈ線に沿う断面図。
【図１２】第２実施形態について、図１２（ａ）は、図９のＩ−Ｉ線に沿う断面図、図１２（ｂ）は、図９のＪ−Ｊ線に沿う断面図。
【図１３】第２実施形態について、図１３（ａ）は、図９のＫ−Ｋ線に沿う断面図、図１３（ｂ）は、図９のＬ−Ｌ線に沿う断面図。
【図１４】第２実施形態について、図１４（ａ）は、図９のＭ−Ｍ線に沿う断面図、図１４（ｂ）は、図９のＮ−Ｎ線に沿う断面図。
【発明を実施するための形態】
【００１１】
＜第１実施形態＞
図１〜図６を参照して、第１実施形態に係る緩衝材１０について説明する。
緩衝材１０は、積載物１と、他の構造物２との間に配置される。緩衝材１０は、積載物１と他の構造物２との間に挟まれることによって保持される。他の構造物２とは、積載物１を覆うケースの壁４、他の積載物１、搬送用パレット３等である。本実施形態では、緩衝材１０は、積載物１の下に配置される。緩衝材１０は、積載物１と搬送用パレット３との間に挟まれる。
【００１２】
図１に示されるように、本実施形態では、緩衝材１０は、長尺状に形成され、積載物１を下から支持する。緩衝材１０の配置は、積載物１の下に限られない。例えば、緩衝材１０は、積載物１と、積載物１を覆うケースの壁４との間に、緩衝材１０の長手方向ＤＡが水平となるように配置されてもよい。
【００１３】
本実施形態の緩衝材１０は、重量が１０ｋｇ以上の積載物１に好適に適用される。緩衝材１０が適用される積載物１の形状は限定されない。図１に示される積載物１は、例えば鋼材や建築材等の直方体構造を有する。もちろん、積載物１は円柱面構造の側面を有するものであってもよく、例えば、筒状に巻かれた薄板材、筒状に巻かれた送電用電線、筒状に巻かれた各種の線材、鋼管、セメント管、円柱状の建築用土台、土管、等が挙げられる。この場合、受面１２は円柱面の周面に沿う形状に形成されていてもよい。緩衝材１０の適用は、図１に示されるような、積載物１に限定されない。緩衝材１０は、様々な形態の積載物１に対して用いられ得る。
【００１４】
図２〜図６を参照して、緩衝材１０の一例を説明する。図２に示されるように、緩衝材１０は、芯部１１を有する。芯部１１は、長手方向ＤＡにおける端に受面１２を有する。受面１２は、荷重を受ける。本実施形態では、緩衝材１０は、樹脂製またはゴム製のスペーサを介して積載物１を支持してもよい。芯部１１について長手方向ＤＡにおける受面１２の反対側には、支持面１３が設けられる。芯部１１の支持面１３は、他の構造物２（本実施形態では、搬送用パレット３）に接触する。
【００１５】
図４に示されるように、芯部１１は、長手方向ＤＡに間隔をあけて設けられる複数の節部１５を有する。芯部１１は、長手方向ＤＡに連なる３個以上の腹部１６を含む。節部１５は、腹部１６と腹部１６との繋がり部分である。芯部１１の長手方向ＤＡにおける節部１５の断面積は、節部１５と節部１５との間の腹部１６の長手方向ＤＡにおける断面積よりも小さい。本実施形態では、緩衝材１０は、３つの腹部１６と、２つの節部１５を有する。
【００１６】
好ましくは、緩衝材１０は、芯部１１を補強する少なくとも２つの補強部１７を有する。２つの補強部１７は、芯部１１を間に挟むように芯部１１の両側に設けられる。本実施形態では、補強部１７は、概ね板状であり、長手方向ＤＡに延設されている。長手方向ＤＡに沿う補強部１７の長さは、芯部１１の長さと等しい。補強部１７において最も厚いところの厚幅ＬＷは、２０ｍｍ以上２００ｍｍ以下であり、好ましくは、３０ｍｍ以上１００ｍｍ以下である。
【００１７】
節部１５は、中心部１５ａと、２つの突出部１５ｂとを有する。中心部１５ａは、長手方向ＤＡに沿う中心軸ＣＡを有する円柱形に構成される（図６（ｂ）参照）。突出部１５ｂは、長手方向ＤＡにおいて腹部１６の突出部１６ｂに繋がる。２つの突出部１５ｂそれぞれは、補強部１７の間に配置されている。突出部１５ｂについて長手方向ＤＡに垂直な断面の断面積は、腹部１６の突出部１６ｂについて長手方向ＤＡのいずれの位置の断面積よりも小さい（図６（ａ）〜図６（ｃ）参照）。
【００１８】
腹部１６は、中心部１６ａと、２つの突出部１６ｂとを有する。中心部１６ａは、長手方向ＤＡに沿う中心軸ＣＡを有する円柱形に構成される（図６（ａ）参照）。腹部１６それぞれの中心部１６ａについて、長手方向ＤＡに垂直な断面形状は等しい。腹部１６の中心部１６ａについて長手方向ＤＡに垂直な断面形状は、節部１５の中心部１５ａについて長手方向ＤＡに垂直な断面形状に等しい。すなわち、本実施形態では、芯部１１は、各腹部１６の中心部１６ａが連なることによって構成される円柱を含む。
【００１９】
突出部１６ｂは、中心部１６ａから突出する。本実施形態では、円柱状の中心部１６ａの側面から突出する。２つの突出部１６ｂは、２つの補強部１７の間に配置される。２つの突出部１６ｂの一方は、中心部１６ａにおいて他方の突出部１６ｂの配置部分と反対側に設けられる。本実施形態の説明では、緩衝材１０において、一方の突出部１６ｂが設けられている面を、「正面」と言い、正面の反対側を「背面」と言う。
【００２０】
２つの突出部１６ｂそれぞれは、長手方向ＤＡに垂直な断面の断面積が節部１５に近づくにつれて小さくなるように構成される。本実施形態では、２つの節部１５の間にある腹部１６に設けられる突出部１６ｂは、正面視で楕円形を有する。長手方向ＤＡにおいて端側の腹部１６に設けられる突出部１６ｂは、正面視で、矩形と半楕円形とを結合した形状を有する。
【００２１】
隣接する２つの腹部１６の一方の突出部１６ｂは、他方の突出部１６ｂと繋がる。突出部１６ｂ同士は、直接に繋がってもよいし、突出部１６ｂから延びる第１延長部１８を介して繋がってもよい。本実施形態では、第１延長部１８を介して突出部１６ｂ同士が繋がる。本実施形態では、第１延長部１８は、節部１５に含まれる。
【００２２】
さらに好ましくは、複数の腹部１６の突出部１６ｂのそれぞれは、補強部１７と繋がる。突出部１６ｂと補強部１７とは、直接に繋がってもよいし、突出部１６ｂから延びる第２延長部１９を介して繋がってもよい。本実施形態では、第２延長部１９を介して突出部１６ｂと補強部１７とが繋がる。
【００２３】
緩衝材１０を構成する芯部１１および補強部１７は、樹脂によって一体に形成される。緩衝材１０は、軽量性や断熱性を向上させるために、発泡合成樹脂によって形成されることが好ましい。発泡合成樹脂として、例えば、発泡ポリスチレン系樹脂、発泡ポリエチレン系樹脂や発泡ポリプロピレン系樹脂等の発泡オレフィン系樹脂、発泡ポリエチレンテレフタレート系樹脂や発泡ポリエチレンフラノエート系樹脂等の発泡ポリエステル系樹脂、等が挙げられる。
【００２４】
長手方向ＤＡにおける緩衝材１０の長さＬＡは、３００ｍｍ以上５０００ｍｍ以下であり、好ましくは、３５０ｍｍ以上１５００ｍｍ以下である。本実施形態では、縦方向ＤＢは、緩衝材１０を正面視したときの奥行方向であり、長手方向ＤＡに垂直な方向として定義される。横方向ＤＣは、縦方向ＤＢと長手方向ＤＡとに垂直な方向として定義される。
【００２５】
緩衝材１０の縦幅ＬＢおよび横幅ＬＣは、最も長いところで、７０ｍｍ以上７００ｍｍ以下であり、好ましくは、１００ｍｍ以上５００ｍｍ以下である。長手方向ＤＡにおいて、緩衝材１０の節部１５から節部１５までの距離ＬＲは、１００ｍｍ以上１０００ｍｍ以下であり、好ましくは、１５０ｍｍ以上７００ｍｍ以下である。長手方向ＤＡにおいて、緩衝材１０の節部１５から端面（受面１２または支持面１３）までの距離ＬＳは、１００ｍｍ以上１０００ｍｍ以下であり、好ましくは、１５０ｍｍ以上７００ｍｍ以下である。
【００２６】
長手方向ＤＡに垂直な断面において、腹部１６の断面積に対する節部１５の断面積の比は、０．７以上０．９８以下であり、好ましくは、０．７５以上０．９０以下である。長手方向ＤＡに垂直な断面において、腹部１６において最も太い部分の断面積は、２５００ｍｍ２以上４９００００ｍｍ２以下であり、好ましくは、１００００ｍｍ２以上４０００００ｍｍ２以下である。
【００２７】
図６を参照して、緩衝材１０の断面構造を説明する。図６（ａ）は、図４のＡ−Ａ線に沿う断面図であり、図６（ｂ）は、図４のＢ−Ｂ線に沿う断面図であり、図６（ｃ）は、図４のＣ−Ｃ線に沿う断面図である。緩衝材１０は、正面および背面が直方体形状について、正面および背面から有底穴を形成した構造を有し、芯部１１と補強部１７とが一体的に形成されている。図２には、正面からの穴部２１が示される。図３には、背面からの穴部２２が示される。図４および図５に示されるように、正面視における穴部２１の形状と、背面視における穴部２２の形状とは、同じ形状である。正面の穴部２１と背面の穴部２２とは、長手方向ＤＡにおいて同じ位置に設けられる。このように、穴部２１および穴部２２により、芯部１１に節部１５と腹部１６とが形成される。
【００２８】
図６（ａ）および図６（ｃ）と図６（ｂ）とを比べて分かるように、中心部１５ａ，１６ａの断面積は、いずれの位置においても同じ大きさである。一方、突出部１５ｂ，１６ｂの面積は、長手方向ＤＡにおける位置によって異なる。突出部１５ｂ，１６ｂの断面積は、節部１５において最も小さい。本実施形態では、突出部１５ｂ，１６ｂの形状が、芯部１１の断面積の増減に寄与する。
【００２９】
以下、実施形態の作用を説明する。
積載物１が揺れると、緩衝材１０には、長手方向ＤＡに交差する方向の力が加わる。このような力は、曲げ応力として緩衝材１０に加えられる。曲げ応力が過大になると、曲げ応力に耐えられず、緩衝材１０が折れる虞がある。このような折れは、緩衝材１０において最初にひび割れたところから生じる。緩衝材１０のひび割れは、曲げ応力が集中することによって生じる。本実施形態では、長手方向ＤＡにおいて複数の節部１５があることから、一カ所への曲げ応力の集中が抑制される。これによって、ひび割れの発生が抑制されるようになり、緩衝材１０の折れも抑制される。
【００３０】
節部１５の断面積は、腹部１６よりも断面積が小さいことから、長手方向ＤＡに沿う荷重は、節部１５に集中する。積載物１の縦方向ＤＢまたは横方向ＤＣ方向への振動が大きくなると、緩衝材１０の弾性域を超える歪みによって節部１５が圧縮し、塑性変形するようになる。緩衝材１０が塑性変形する場合、緩衝材１０の縦方向ＤＢまたは横方向ＤＣ方向のたわみ長さの変化が小さいため、積載物１を保持できる。このことは、緩衝材１０が折れることによって、緩衝材１０が短くなり、積載物１を支持できなくなる場合に比べて、積載物１を支持できるというメリットである。
【００３１】
以下、実施形態の効果を説明する。
（１）緩衝材１０は、芯部１１を有する。芯部１１は、長手方向ＤＡにおける端に、荷重を受ける受面１２を有する。芯部１１は、長手方向ＤＡに間隔をあけて設けられる複数の節部１５を有する。節部１５の断面積は、節部１５と節部１５との間の腹部１６の断面積よりも小さい。この構成によれば、緩衝材１０に曲げ応力が加わるとき、応力が複数の節部１５に分散されるようなり、曲げ応力が一カ所に集中することが抑制される結果、緩衝材１０が折れることを抑制できる。
【００３２】
（２）好ましくは、上記緩衝材１０は、芯部１１を補強する少なくとも２つの補強部１７を有する。２つの補強部１７は、芯部１１を間に挟むように芯部１１の両側に設けられる。この構成によれば、緩衝材１０の曲げ変形が抑制される。
【００３３】
（３）好ましくは、腹部１６は、中心部１６ａと、中心部１６ａから突出する２つの突出部１６ｂとを有する。２つの突出部１６ｂは、２つの補強部１７の間に配置される。２つの突出部１６ｂの一方は、中心部１６ａにおいて他方の突出部１６ｂの配置部分と反対側に設けられる。この構成によれば、直方体または直方体に類する形状から、突出部１６ｂが構成されるように穴部２１，２２を設けることによって、緩衝材１０を形成できる。この場合、金型を簡単な構造にすることができ、生産性に優れる。
【００３４】
（４）好ましくは、隣接する２つの腹部１６の一方の突出部１６ｂは、他方の突出部１６ｂと繋がる。複数の腹部１６の突出部１６ｂのそれぞれは、補強部１７と繋がる。この構成によれば、緩衝材１０の曲げ変形が抑制される。
【００３５】
＜第２実施形態＞
図７〜図１４を参照して、第２実施形態に係る緩衝材１０Ｘについて説明する。
本実施形態に係る緩衝材１０Ｘは、第１実施形態に係る緩衝材１０とは、中心部１６ｃの構造が異なる。本実施形態の説明において、第１実施形態と共通する部分については、第１実施形態と同一の符号を付してその説明を省略する。
【００３６】
緩衝材１０Ｘは、芯部１１を有する。芯部１１は、長手方向ＤＡに間隔をあけて設けられる複数の節部１５を有する。芯部１１は、長手方向ＤＡに連なる３個以上の腹部１６を含む。
【００３７】
節部１５は、中心部１５ｃと、２つの突出部１５ｄとを有する。中心部１５ｃは、四角柱、四角柱に類する形状、または円柱に構成される。本実施形態では、中心部１５ｃは、四角柱に類する形状に構成されている。中心部１５ｃについて長手方向ＤＡに垂直な断面の断面積は、腹部１６の中心部１６ｃについて長手方向ＤＡのいずれの位置の断面積よりも小さい。節部１５の突出部１５ｄは、長手方向ＤＡにおいて腹部１６の突出部１６ｄに繋がる。
【００３８】
腹部１６は、中心部１６ｃと、２つの突出部１６ｄとを有する。中心部１６ｃは、長手方向ＤＡに沿う線上に中心ＣＢを有する球体に構成される。または、中心部１６ｃは、長手方向ＤＡに沿う中心軸を有する楕円体、楕円体に類した形状に構成されてもよい。腹部１６それぞれの中心部１６ｃの形状は異なっていてもよい。例えば、長手方向ＤＡにおいて、端側に配置される中心部１６ｃは、中間あたりに配置される中心部１６ｃの形状と異なる形状を有してもよい。好ましくは、緩衝材１０Ｘは、芯部１１を補強する少なくとも２つの補強部１７を有する。２つの補強部１７は、芯部１１を間に挟むように芯部１１の両側に設けられる。
【００３９】
腹部１６の突出部１６ｄは、中心部１６ｃから突出する。本実施形態では、中心部１６ｃから突出し、２つの補強部１７の間に配置される。２つの突出部１６ｄの一方は、中心部１６ｃにおいて他方の突出部１６ｄの配置部分と反対側に設けられる。本実施形態の説明でも第１実施形態と同様に、緩衝材１０Ｘにおいて、一方の突出部１６ｄが設けられている面を、「正面」と言い、正面の反対側を「背面」と言う。２つの突出部１６ｄそれぞれは、長手方向ＤＡに垂直な断面の断面積が節部１５に近づくにつれて小さくなるように構成される。
【００４０】
図７〜図１４を参照して、緩衝材１０Ｘの断面構造を説明する。図１１（ａ）、図１１（ｂ）、図１１（ｃ）、図１２（ａ）、図１２（ｂ）、図１３（ａ）、図１３（ｂ）、図１４（ａ）、図１４（ｂ）は、それぞれ、図９における、Ｆ−Ｆ線に沿う断面、Ｇ−Ｇ線に沿う断面、Ｈ−Ｈ線に沿う断面、Ｉ−Ｉに沿う断面、Ｊ−Ｊ線に沿う断面、Ｋ−Ｋ線に沿う断面、Ｌ−Ｌ線に沿う断面、Ｍ−Ｍ線に沿う断面、Ｎ−Ｎ線に沿う断面である。緩衝材１０Ｘは、正面および背面が直方体形状について、正面および背面から有底穴を形成した構造を有し、緩衝材１０と同様に芯部１１と補強部１７とが一体的に形成されている。図７には、正面からの穴部２３が示される。図８には、背面からの穴部２４が示される。図９および図１０に示されるように、正面視における穴部２３の形状と、背面視における穴部２４の形状とは、同じ形状である。正面の穴部２３と背面の穴部２４とは、長手方向ＤＡにおいて同じ位置に設けられる。緩衝材１０Ｘは緩衝材１０と同様に、穴部２３および穴部２４により、芯部１１に節部１５と腹部１６とが形成される。
【００４１】
図１１（ａ）〜図１１（ｃ）および図１２（ａ）に示されるように、中心部１６ｃについて長手方向ＤＡに垂直な断面形状は円形であり、その断面積は、節部１５に近づくにつれて徐々に小さくなる。突出部１６ｄの幅長ＬＸは、節部１５に近づくにつれて徐々に小さくなる。
【００４２】
図１２（ｂ）に示されるように、節部１５の中心部１５ｃの断面積は、腹部１６の中心部１５ｃについて長手方向ＤＡのいずれの位置の断面積よりも小さい。図１３（ａ）、図１３（ｂ）、図１４（ａ）および図１４（ｂ）に示されるように、中心部１６ｃについて長手方向ＤＡに垂直な断面は、節部１５から遠ざかるにつれて徐々に大きくなる。突出部１６ｄの幅長ＬＸは、節部１５から遠ざかるにつれて徐々に大きくなる。
【００４３】
芯部１１は、節部１５の断面の断面積が、芯部１１における腹部１６の断面の断面積よりも小さくなるように、構成されている。本実施形態では、中心部１６ｃの形態および突出部１６ｄの両方の形状が、芯部１１の断面積の増減に寄与する。
【００４４】
本実施形態の緩衝材１０Ｘにおいて、芯部１１は、長手方向ＤＡに間隔をあけて設けられる複数の節部１５を有する。節部１５の断面積は、節部１５と節部１５との間の腹部１６の断面積よりも小さい。この構成は、実質的に、第１実施形態と同じ構造である。したがって、本実施形態の緩衝材１０Ｘは、第１実施形態に示される（１）に準じた効果を奏する。緩衝材１０Ｘは、節部１５の２つの突出部１５ｄのそれぞれの断面積、および腹部１６の２つの突出部１６ｄのそれぞれの断面積が異なっており、積載物１による荷重を中心部１５ｃおよび中心部１６ｃで受けることができるように適宜変更できるものである。換言すると、緩衝材１０、１０Ｘは受面１２と中心部１５ｃ、１６ｃとが長手方向ＤＡの直線上に配置され、すなわち、積載物１の荷重を受ける位置と中心部１５ｃ、１６ｃのそれぞれの中心軸ＣＡとが同一軸線上に配置されるように適宜定められる。
【００４５】
＜変形例＞
上記各実施形態に関する説明は、緩衝材１０，１０Ｘが取り得る形態の例示であり、その形態を制限することを意図していない。緩衝材１０，１０Ｘは、以下に示される実施形態の変形例、および、相互に矛盾しない少なくとも２つの変形例が組み合わせられた形態を取り得る。以下の変形例において、第１記実施形態と共通する部分については、第１実施形態と同一の符号を付してその説明を省略する。
【００４６】
・突出部１６ｂ，１６ｄの正面視の形態は、上記各実施形態の例に限定されない。例えば、突出部１６ｂ，１６ｄは、正面視で、ひし形であってもよく、長円であってもよい。第２実施形態において、突出部１６ｄは、省略されてもよい。各実施形態において、突出部１６ｂ，１６ｄは、緩衝材１０，１０Ｘの片面だけに設けられてもよい。
【００４７】
緩衝材１０および緩衝材１０Ｘの形状は上記各実施形態の例に限定されない。例えば、緩衝材１０および緩衝材１０Ｘは直方体以外の形状であってもよく、また、他の構造物２との配置関係により緩衝材１０，１０Ｘの表面に凹凸や湾曲部を設けてもよい。
【符号の説明】
【００４８】
ＣＡ…中心軸、ＣＢ…中心、ＤＡ…長手方向、ＤＢ…縦方向、ＤＣ…横方向、ＬＡ…長さ、ＬＢ…縦幅、ＬＣ…横幅、ＬＲ…距離、ＬＳ…距離、ＬＷ…厚幅、ＬＸ…幅長、１…積載物、２…構造物、３…搬送用パレット、４…壁、１０…緩衝材、１０Ｘ…緩衝材、１１…芯部、１２…受面、１３…支持面、１５…節部、１５ａ…中心部、１５ｂ…突出部、１５ｃ…中心部、１５ｄ…突出部、１６…腹部、１６ａ…中心部、１６ｂ…突出部、１６ｃ…中心部、１６ｄ…突出部、１７…補強部、１８…第１延長部、１９…第２延長部、２１…穴部、２２…穴部、２３…穴部、２４…穴部。
【図１】
2020104891.tif 000003
【図２】
2020104891.tif 000004
【図３】
2020104891.tif 000005
【図４】
2020104891.tif 000006
【図５】
2020104891.tif 000007
【図６】
2020104891.tif 000008
【図７】
2020104891.tif 000009
【図８】
2020104891.tif 000010
【図９】
2020104891.tif 000011
【図１０】
2020104891.tif 000012
【図１１】
2020104891.tif 000013
【図１２】
2020104891.tif 000014
【図１３】
2020104891.tif 000015
【図１４】
2020104891.tif 000016